(57)【特許請求の範囲】
【請求項１】
送風ファンを備え、天井に取り付けられる換気扇本体と、
この換気扇本体の下面部に配置されるパネルと、
前記換気扇本体およびパネルのうち、一方に突設された弾性係合部および他方に形成され前記弾性係合部を端部開口から内側に嵌入させて該弾性係合部と係脱可能に係合する筒状の係合凹部とから構成され、前記パネルを換気扇本体に対して、前記送風ファンによる吸入空気の通路が形成されるように着脱可能に取り付ける支持装置と、を具備し、
前記支持装置の前記弾性係合部は、先端部に折返し状態に形成された係合片を有し、その係合片の折返し側先端部に摘み部が設けられ、前記係合凹部は、一側面に前記係合片と係合する係合孔が設けられていることを特徴とする天井用換気扇。
【請求項２】
弾性係合部の先端部において、係脱のための弾性方向に沿う幅寸法は、係合凹部の開口幅寸法よりも小さく設定されていることを特徴とする請求項１記載の天井用換気扇。
【請求項３】
弾性係合部の先端部において、係脱のための弾性方向と直交方向に沿う幅寸法は、係合凹部の開口幅寸法よりも小さく設定されていることを特徴とする請求項１または２記載の天井用換気扇。
【請求項４】
摘み部は、外側に向かって突出するように形成され、その先端は、パネルの外周縁と略面一に設定されていることを特徴とする請求項１ないし３のいずれかに記載の天井用換気扇。
【請求項５】
パネルは外周縁に上方に立上がる囲壁を有すると共に、弾性係合部の摘み部は、弾性係合部を係合凹部との係合から解除する操作方向がパネルの囲壁に接近する方向に定められ、その係合解除の操作時に、パネルの囲壁に接することにより、該囲壁に係合片を係合凹部との係合から外す方向に案内されることを特徴とする請求項１ないし４のいずれかに記載の天井用換気扇。
【請求項６】
パネルの囲壁の内側には、摘み部を、係合片を係合凹部との係合から外す方向に案内するリブが設けられていることを特徴とする請求項５記載の天井用換気扇。
【請求項７】
摘み部の先端には、幅広の指当て部が設けられていることを特徴とする請求項１ないし６のいずれかに記載の天井用換気扇。
【請求項８】
換気扇本体およびパネルのうちの一方には、パネルを換気扇本体に取り付けた状態において、他方に当接してパネルを下方に弾性変形させる突子が設けられていることを特徴とする請求項１ないし７のいずれか記載の天井用換気扇。
【発明の詳細な説明】
【０００１】
【発明の属する技術分野】
本発明は、換気扇本体に対するパネルの取り付け構成を改良した天井用換気扇に関する。
【０００２】
【従来の技術】
従来の天井用換気扇では、図１３に示すように、天井に取り付けられた本体１に対してパネル２を着脱可能に取り付けるようにしている。上記パネルの着脱可能な取り付け構成は、コイル部３ａの両端を上方に逆ハ字状となるように延長したねじりコイルばね３を本体１側に固定された支持具４に上下移動可能に支持し、このねじりコイルばね３のコイル部３ａにパネル２に固定された逆Ｌ字状の引掛け具５を掛け支持させるというものであった。
【０００３】
パネル２の引掛け具５をコイル３部ａに引掛ける際には、ねじりコイルばね３を引き下げてその両端部分の逆ハ字状部分を窄めた状態にしておく。そして、引掛け具５をコイル３部ａに横方向から挿入するようにして引掛けた後、パネル２を少し押し上げると、ねじりコイルばね３の両端部分が自身の弾発力によって逆ハ字状に開きながら上方に移動するようになるので、突子６が本体１の下面に当たる位置までパネル２が引き上げられるというものである。なお、突子６は、本体１とパネル２との間に送風ファン７によって吸入される室内空気を通す通路８（隙間）を形成するためのものである。
【０００４】
【発明が解決しようとする課題】
上記のパネル２の取り付け構成では、引掛け具５はパネル２の裏側中央に設けられているので、コイル３部ａに引掛ける際にそれらを目で見ながら作業することが困難である。このため、引掛け具５をコイル部３ａに通す作業を何度も繰り返さねばならないことが多く、面倒である。
【０００５】
また、ねじりコイルばね３は、上下移動可能に設けられ、パネル２を取り付けた状態では、支持具４から上方に長く突出する。このため、支持具４とベルマウス７部分までの寸法としては、ねじりコイルばね３の逆ハ字状の両端部分を収納できる比較的大きな寸法に設定しておかねばならないため、本体１全体としての高さ寸法が高くなるという問題があった。
【０００６】
本発明は上記の事情に鑑みてなされたもので、その目的は、パネルの着脱が容易で、しかも、換気扇本体の高さ寸法を小さくすることができる天井用換気扇を提供するにある。
【０００７】
【課題を解決するための手段】
上記の目的を達成するために本発明の換気扇は、
送風ファンを備え、天井に取り付けられる換気扇本体と、
この換気扇本体の下面部に配置されるパネルと、
前記換気扇本体およびパネルのうち、一方に突設された弾性係合部および他方に形成され前記弾性係合部を端部開口から内側に嵌入させて該弾性係合部と係脱可能に係合する筒状の係合凹部とから構成され、前記パネルを換気扇本体に対して、前記送風ファンによる吸入空気の通路が形成されるように着脱可能に取り付ける支持装置と、を具備し、
前記支持装置の前記弾性係合部は、先端部に折返し状態に形成された係合片を有し、その係合片の折返し側先端部に摘み部が設けられ、前記係合凹部は、一側面に前記係合片と係合する係合孔が設けられていることを特徴とするものである（請求項１）。
【０００８】
この構成によれば、弾性係合部と係合凹部との嵌合による係合でパネルが換気扇本体に取り付けられるので、パネルを換気扇本体に取り付ける際には、パネルを押し上げるようにするだけでよく、取り付け作業を容易に行うことができる。また、弾性係合部と係合凹部とにより、パネルと換気扇本体との間に吸入空気の通路を形成することができる。
【０００９】
この場合、係合凹部に対する弾性係合部の嵌入を容易に行うことがきるようにするために、弾性係合部の先端部において、係脱のための弾性方向に沿う幅寸法を、係合凹部の開口幅寸法よりも小さく設定し（請求項２）、或いは、係脱のための弾性方向と直交方向に沿う幅寸法を、係合凹部の開口幅寸法よりも小さく設定してもよい（請求項３）。
【００１１】
上記摘み部は、外側に向かって突出するように形成され、その先端は、パネルの外周縁と略面一に設定されていることが好ましい（請求項４）。このようにすることにより、摘み部をパネルにより隠して外から見えないようにすることができる。
【００１２】
また、パネルの外周縁に上方に立上がる囲壁を設け、弾性係合部の摘み部は、弾性係合部を係合凹部との係合から解除する操作方向がパネルの囲壁に接近する方向に定められ、その係合解除の操作時に、パネルの囲壁に接することにより、該囲壁に係合片を係合凹部との係合から外す方向に案内されるように構成しても良い（請求項５）。
【００１３】
更に、パネルの囲壁の内側には、摘み部を、係合片を係合凹部との係合から外す方向に案内するリブが設けられていることが好ましく（請求項６）、摘み部の先端には幅広の指当て部が設けられていることが好ましい（請求項７）。
【００１４】
更に、パネルが振動することを防止するために、換気扇本体およびパネルのうちの一方に、パネルを換気扇本体に取り付けた状態において、他方に当接してパネルを下方に弾性変形させる突子を設けると良い（請求項８）。
【００１５】
【発明の実施の形態】
まず、本発明の第１の基本形態を図１〜図４に基づいて説明する。なお、本発明の基本形態とは、後述する本発明の実施例において説明する摘み部３２がない以外は本発明の実施例に相当する形態を言う。
天井用換気扇に全体構成を示す図１に示すように、換気扇本体１１の主部を構成する角形の外箱１２は、内部の下方にベルマウス１３を形成した端板１４を固定し、この端板１４の上方部分をファンケーシング部１５としている。このファンケーシング部１５内には、遠心形の送風ファン１６が配置され、この遠心ファン１６は、外箱１２の上部に配設されたモータ１７により回転駆動されるようになっている。
【００１６】
上記のように構成された換気扇本体１１は、室の天井板１８に形成された開口部１９に挿入されて天井裏に配置される。そして、外箱１２の下面部の外周部に延設されたフランジ１２ａは、天井板１８の下面にあてがわれ、天井板１８、或いは開口部１９の周縁部に固定された野縁１８ａに木ねじ等によって取り付けられる。
【００１７】
外箱１２の下面部には、化粧用のパネル２０が換気扇本体１１の外箱１２の下面部に支持装置２１によって着脱可能に取り付けられている。このパネル２０の取り付け状態において、外箱１２の下面部とパネル２０との間には隙間が形成され、この隙間は、送風ファン１６によって吸入される空気の通路２２とされる。しかして、送風ファン１６がモータ１７により回転駆動されると、室内の空気が化粧パネル１０の周囲部から通路２２およびベルマウス１３を通ってファンケーシング部１５内に吸入され、そして、吐出口体２３から該吐出口体２３に接続されたダクト２４を通じて室外へと排出される。
【００１８】
さて、ここで、パネル２０を外箱１２に着脱可能に取り付けるための支持装置２１について説明する。
外箱１２およびパネル２０は、双方共にプラスチックにより形成されている。
パネル２０は、四角形、この実施例では、正方形に形成され、その外周縁部には、上方に立ち上がる囲壁２０ａが一体に形成されている。そして、パネル２０の各辺の中央部には、図２に示すように、弾性係合部２５が、囲壁２０ａ内側の近傍に位置して一体に突設されている。
【００１９】
上記弾性係合部２５は、相手側である外箱１２側、すなわち上方に向かって突出する基片２６、この基片２６の上端部から下方に向かって折り返し状態に延設された係合片２７を備えている。係合片２７は、基片２６よりもパネル２０の外側に位置され、直立状態の基片２６は対して、外側に向かって開いた状態に形成されている。かかる係合片２７の先端部である下端部分には、図３および図４にも示すように、係合爪部２７ａが形成されている。
【００２０】
一方、外箱１２が有するフランジ１２ａの４辺部には、各辺の中央部に位置して、相手側であるパネル２０側、すなわち下側に向かって突出する中空角形の係合筒部２８が一体に突設されている。この係合筒部２８は、弾性係合部２５を内側に嵌合させて係合する係合凹部として機能するもので、４つの側面部のうち、外側を向く一側面部には被係合部としての係合孔２９が形成されている。
【００２１】
また、パネル２０の上面における４つの隅角部には、棒状の突子３０が上向きに一体に突設されている。この突子３０は、パネル２０が外箱１２の下面部に取り付けられた状態で、外箱１２のフランジ１２ａに接触して該パネル２０を下方に弾性変形させるようになっている。
【００２２】
次に上記のように構成した支持装置２１によりパネル２０を外箱１２の下面部に取り付ける手順につき説明する。パネル２０を外箱１２に取り付けるには、パネル２０を手で支えながら押し上げる。このとき、特に外箱１２のフランジ１２ａの外周縁寄りにある係合筒部２８は見易いから、パネル２０の周縁部近くにある弾性係合部２５は目で見易いから、その弾性係合部２５を見ながら、これを外箱１２の係合筒部２８内に嵌入するようにする。
【００２３】
すると、主に係合片２７が窄まるように弾性変形することにより、弾性係合部２５が係合筒部２８内に嵌入され、そして、係合爪部２７ａが係合孔２９の下縁部に至ると、係合片２７が自身の弾性力で復元することにより、図４に実線で示すように、係合爪部２７ａが係合孔２９に係合し、これにより、パネル２０が外箱１２の下面部に着脱可能に取り付けられる。
【００２４】
この取り付け状態において、係合爪部２７ａの段部面Ｓが係合孔２９の下縁に当接することにより、弾性係合部２５がパネル２０を支える状態となる。これにより、パネル２０と外箱１２との間に所定隙間の通路２２が確保されるものである。
【００２５】
また、この取り付け状態において、前記突子３０は、外箱１２のフランジ１２ａの４つの隅角部に当接し、弾性係合部２５の両側を図１に示すように下方に撓ませるように弾性変形させる。すなわち、パネル２０が弾性係合部２７を介して係合筒部２８に支えられた状態において、フランジ１２ａとパネル２０の内部上面との間の隙間寸法Ｈとすると、突子３０の突出長さＬは、Ｈよりも長く設定されている。
【００２６】
このため、パネル２０の取り付け状態において、突子３０は、パネル２０を弾性係合部２５の両側を下方に弾性変形させるものである。この弾性変形により、係合爪部２７ａの段部面Ｓも、係合孔２９の下縁に押圧された状態となる。これにより、換気運転時に、モータ１７或いは送風ファン１６の回転等により、振動が生じても、パネル２０ががたついたり、振動してガタガタ音を発したりすることがなくなる。
【００２７】
一方、パネル２０を外箱１２から取り外すには、係合孔２９に指等を差し入れて係合片２７を押圧する。すると、図４に二点鎖線で示すように、係合片２７が窄まるように弾性変形し、係合孔２９との係合を解除するので、パネル２０を外箱１２から取り外すことができるもである。
【００２８】
このように第１の基本形態によれば、パネル２０を押し上げ、或いは係合片２７を弾性変形させるだけでパネル２０を着脱することができるので、その作業を容易に行うことができる。また、支持装置２１はパネル２０の着脱に伴って外箱１２内に対して出没するものではないので、外箱１２の高さ方向の寸法を小さくしても支障はなく、全体を高さ方向に小形化できる。
【００２９】
しかも、弾性係合部２５および係合筒部２８により、パネル２５と外箱１２との間に空気の通路２２を形成することができるので、その通路２２を形成するためのスペーサを設けなくとも済む。
また、パネル２０の４隅角部には、突子３０が設けられているので、パネル２０を外箱１２から取り外して床において置くような場合、その突子３０が脚として機能し、パネル２０をほぼ水平に支えるので、パネル２０が傾いたりせず、安定する。
【００３０】
図５，図６は本発明の第２の基本形態を示すもので、上記第１の基本形態と同一部分には同一符号を付して説明を省略し、異なる部分だけを順に説明する。
図５および図６において、係合筒部２８の内部空間の左右両側面は、下方に向かって間隔が大となるように勾配が付されている。また、係合筒部２８の一側面、すなわち係合孔２９を形成した一側面は、下方に向かって外側に突き出るように傾いて形成されている。
【００３１】
そして、弾性係合部２５の上端部分において、係合片２７の弾性変形方向（内外方向）と直交する方向に沿う幅寸法ａは、係合筒部２８の下端開口部の同方向の幅寸法Ａよりも小さく設定されている。また、弾性係合部２５の上端部分において、係合片２７の弾性変形方向と直交する方向（幅寸法ａと直交する方向；パネル２０の各辺の外縁に沿う方向）の幅寸法ｂは、係合筒部２８の下端開口部の同方向の幅寸法Ｂよりも小さく設定されている。
【００３２】
弾性係合部２５の各方向の幅寸法ａ，ｂを係合筒部２８の下端開口部の各方向の幅寸法Ａ，Ｂと上述のような大小関係に定めれば、弾性係合部２５を係合筒部２８内に嵌入し易く、パネル２０の取り付け作業をより一層容易に行うことができる。
【００３３】
図７は本発明の第１実施例を示すもので、前記第１の基本形態と同一部分には同一符号を付して説明を省略し、異なる部分だけを順に説明する。図７において、弾性係合部２５の係合片２７の下端部には、外側に向かって延長片３１が突設されていると共に、この延長片３１の先端部に上向きに屈曲する摘み部３２延設されている。この摘み部３２は、パネル２０の外縁である囲壁２０ａと略面一或いはそれよりもやや内側、すなわち囲壁２０ａの最外縁を通る鉛直線Ｖと略一致或いはそれよりもやや内側に位置するように定められている。
【００３４】
このように構成すれば、係合片２７を係合孔２９との係合から外す際、摘み部３２に指を当てて押圧すれば良いので、その係合解除作業を行い易くなる。この場合、摘み部３２の先端部は、パネル２０の外縁と一致或いはそれよりも内側に位置しているので、摘み部３２が丸見えとなったりすることがなく、外観を損なうおそれがない。
【００３５】
図８および図９は本発明の第２実施例を示すもので、図７に示す第１実施例との相違は、係合片２７に摘み部３２において、延長片３１と摘み部３２との境界の屈曲部分の外側を円弧面３３としたところにある。
【００３６】
このような円弧面３３を設けると、摘み部３２を下方に押したとき、その円弧面３３が囲壁２０ａの上端に接して図９に示すように該囲壁２０ａの内側に移動するように案内される。すると、係合片２７が弾性変形して係合孔２９から外れる。従って、親指をパネル２０の下面にあてがい、人差し指を摘み部３２の上端にあてがい、挟み付けるようにすると、係合片２７が係合孔２９から外れるようになるので、パネル２０の取り外し操作がより一層し易くなる。
【００３７】
図１０は本発明の第３実施例を示すもので、上記の第２実施例との相違は、パネル２０の囲壁２０ａの内側に弾性係合部２５に対応置して三角形状のリブ３４を一体に形成したところにある。
このようなリブ３４を設けると、摘み部３２を下方に押し、その円弧面３３が囲壁２０ａの上端に接して該囲壁２０ａの内側に移動すると、その後、係合片２７がリブ３４の傾斜面３４ａに摺接し、係合片２７を係合孔２９から外れる方向に弾性変形させる。
このように構成した場合には、摘み部３２を単に下方に押圧するだけで、係合方２７を係合孔２９から外す方向に変形させることができ、更に操作性に優れたものとすることができる。
【００３８】
図１１および図１２は本発明の第４実施例を示すもので、この実施例が前記第３実施例と相違するところは、摘み部３２の上端部に外方に突出する指当て部３５を一体に形成したものである。そして、この指当て部３５は角部が図１２に示すように、円弧状の面取りＣが付されている。
このように摘み部３２に指当て部３５を設けた場合には、指を広い面積の部分に当てて操作できるので、指が痛く感じたりすることがない。
【００３９】
【発明の効果】
以上説明したように本発明によれば、次のような効果を得ることができる。
請求項１記載の発明では、弾性係合部を係合凹部に嵌入させることにより、パネルを換気扇本体に対して着脱可能に取り付けることができるので、パネルの着脱を容易に行うことができる。また、換気扇本体を高さ方向に小形化できる上、別にパネルと換気扇本体との間に吸入空気の通路を形成する機構を設けずとも済み、構成の簡素化を図ることができる。また、弾性係合部としては、先端部に折り返し状態に形成された係合片を有し、その係合片の折り返し側先端部に、摘み部が設けられている形態としたので、係合片を係合孔から外すための操作がし易くなる。
【００４０】
請求項２記載および請求項３記載の発明では、弾性係合部の先端部の直交二方向の幅のうち、一方の幅、或いは他方の幅を、係合凹部の直交二方向の開口幅のうち、一方の開口幅、或いは他方の開口幅よりも小さく設定したので、係合凹部に対する弾性係合部の嵌入を容易に行うことがきる。
【００４２】
請求項４記載の発明では、外側に向かって突出する摘み部の先端を、パネルの外周縁と略面一に設定したので、摘み部をパネルにより隠して外から見えないようにすることができる。
【００４３】
請求項５記載の発明では、弾性係合部の摘み部を操作すると、摘み部がパネルの囲壁に接して係合片を係合凹部との係合から外す方向に案内されるので、弾性係合部を係合凹部との係合から解除する操作がし易くなる。
【００４４】
請求項６記載の発明では、摘み部を操作すると、摘み部がパネルの囲壁の内側に設けられたリブにより係合片を係合凹部との係合から外す方向に案内されるので、弾性係合部を係合凹部との係合から解除する操作が一層し易くなる。
【００４５】
請求項７記載の発明では、摘み部の先端に幅広の指当て部が設けられているので、操作時に指が痛く感じることがない。
【００４６】
請求項８記載の発明では、パネルを換気扇本体に取り付けた状態では、パネルは、弾性係合部と係合凹部との係合箇所の両側において突子に押圧されて弾性変形した状態になっているので、パネルが振動することを防止できる。
【図面の簡単な説明】
【図１】  本発明の第１の基本形態を示す縦断面図
【図２】  パネルの弾性係合部と外箱の係合筒部とを示す部分的な縦断面図
【図３】  弾性係合部と係合筒部とを示す斜視図
【図４】  弾性係合部と係合筒部との係合状態を示す縦断面図
【図５】  本発明の第２の基本形態を示すもので、弾性係合部と係合筒部の正面図
【図６】  弾性係合部と係合凹部の縦断面図
【図７】  本発明の第１実施例を示す図４相当図
【図８】  本発明の第２実施例を示す図４相当図
【図９】  係合片を係合孔から外す場合の作用を説明するための縦断面図
【図１０】  本発明の第３実施例を示す図８相当図
【図１１】  本発明の第４実施例を示す図８相当図
【図１２】  指当て部の平面図
【図１３】  従来のパネルの取り付け構造を示す図１相当図
【符号の説明】
図中、１１は換気扇本体、１２は外箱、１４は端板、１６は送風ファン、１８は天井板、２０はパネル、２０ａは囲壁、２１は支持装置、２２は通路、２４はダクト、２５は弾性係合部、２７は係合片、２７ａは係合爪部、２８は係合筒部（係合凹部）、２９は係合孔、３０は突子、３２は摘み部、３４はリブ、３５は指当て部である。
【図１】
0003732628.tif 000002
【図２】
0003732628.tif 000003
【図３】
0003732628.tif 000004
【図４】
0003732628.tif 000005
【図５】
0003732628.tif 000006
【図６】
0003732628.tif 000007
【図７】
0003732628.tif 000008
【図８】
0003732628.tif 000009
【図９】
0003732628.tif 000010
【図１０】
0003732628.tif 000011
【図１１】
0003732628.tif 000012
【図１２】
0003732628.tif 000013
【図１３】
0003732628.tif 000014